(57)【要約】【課題】  表示速度を低下させることなく表示品質が低下するのを防ぐことができる画像表示媒体を提供する。【解決手段】  画像表示媒体１０は、表示基板１２と背面基板１４との間に帯電特性の異なる黒色粒子２０及び白色粒子２２が封入され、基板間が間隙部材１８によりセル３６に仕切られた構成である。表示基板１２は、ガラス基板２４上に複数のライン状の走査電極２６が形成された構成であり、背面基板１４は、基板３０上に、赤に着色された複数のライン状のデータ電極３２が走査電極２６と直交するように形成された構成である。背面基板１４の間隙部材１８近傍には、電極不在部３８が設けられている。セル３６の左側の画素を赤表示する場合、データ電極３２Ａに粒子除去用電圧（交番電圧）を印加し、粒子を周囲へ移動させてデータ電極３２Ａを露出させる。このとき、電極不在部３８上に粒子が移動し、データ電極３２Ａ上に粒子が残るのを防ぐことができる。【選択図】        図１
2006258994.tif 000002
【特許請求の範囲】
【請求項１】
少なくとも透光性を有する表示基板と、前記表示基板と間隙をもって対向する背面基板と、予め定めた所定方向に沿って並置された複数の第１の電極と前記第１の電極と対向して配置された第２の電極との間に画像に応じた電圧が印加されることにより、前記表示基板と前記背面基板との基板間に形成された電界に応じて移動するように当該基板間に封入された前記背面基板の色と異なる少なくとも一種類の粒子群と、前記基板間を、前記第１の電極を複数含むセルに仕切る間隙部材と、を備えた画像表示媒体において、
前記間隙部材と、当該間隙部材と隣接する第１の電極と、の間に、粒子除去用領域を設けたことを特徴とする画像表示媒体。
【請求項２】
前記粒子除去用領域は、前記第１の電極が存在しない領域であることを特徴とする請求項１記載の画像表示媒体。
【請求項３】
前記粒子除去用領域に、粒子除去用電極を備えたことを特徴とする請求項１記載の画像表示媒体。
【請求項４】
前記粒子除去用電極は、前記間隙部材の幅よりも広い幅を有する電極であることを特徴とする請求項３記載の画像表示媒体。
【請求項５】
前記粒子除去用電極は、前記間隙部材の両側に設けた一対の電極であることを特徴とする請求項３記載の画像表示媒体。
【請求項６】
前記複数の第１の電極は、ライン状の複数のデータ電極が並置されたデータ電極群であり、前記第２の電極は、前記データ電極と交差するライン状の複数の走査電極が並置された走査電極群であることを特徴とする請求項１乃至請求項５の何れか１項に記載の画像表示媒体。
【請求項７】
前記粒子群は、色及び帯電特性が異なる複数種類の粒子群であることを特徴とする請求項１乃至請求項６の何れか１項に記載の画像表示媒体。
【発明の詳細な説明】
【技術分野】
【０００１】
本発明は、画像表示媒体に係り、より詳しくは、基板間に電圧を印加することにより着色粒子を移動させて画像表示する繰り返し書換えが可能な画像表示媒体に関する。
【背景技術】
【０００２】
従来、メモリー性を有し繰り返し書き換えが可能な画像表示媒体として、着色粒子を用いた画像表示媒体が知られている（例えば特許文献１参照）。このような画像表示媒体は、例えば一対の基板と、印加された電界により基板間を移動可能に基板間に封入されると共に、色及び帯電特性が異なる複数種類の粒子群と、を含んで構成される  また、基板間には、基板間の距離を保持すると共に、粒子が基板内の一部の領域に偏るのを防ぐため等の理由により、基板間を複数のセルに仕切るための間隙部材が設けられる。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【０００４】
また、特許文献２及び特許文献３には、背面基板の色と粒子群の色とが異なる構成とし、粒子の色と背面基板の色とのコントラストで画像を表示する画像表示媒体が提案されている。
【０００５】
この画像表示媒体では、例えば粒子の色を表示させたい画素については、その位置の基板間に直流電圧を印加することにより粒子を表示基板側へ移動させる。一方、背面基板の色を表示させたい画素については、その位置の基板間に交番電圧を印加することにより粒子を他の画素の領域へ移動させ、背面基板を露出させる。
【０００６】
ここで、図１１（Ａ）に示すように、ガラス基板１００上にライン状の複数の走査電極１０２が形成された表示基板１０４と、図１２に示すように走査電極１０２と直交するように所定色（例えば赤）に着色されたライン状の複数のデータ電極１０６が基板１０８上に形成された背面基板１１０と、基板間に封入された正に帯電された黒色粒子１１２及び負に帯電された白色粒子１１４と、基板間を図１２に示すように複数のセル１１６に仕切る間隙部材１１８と、から成る画像表示媒体１２０に画像を表示させる際の粒子の移動について説明する。なお、図１１（Ａ）〜（Ｃ）は図２のセル１個分のＡ−Ａ断面図である。また、図１１（Ａ）〜（Ｃ）では、図において左から順にデータ電極１０６Ａ、１０６Ｂ、１０６Ｃとする。
【０００７】
例えばセル１１６の中央の画素（走査方向Ｓと直交する方向、すなわち走査電極１０２の長手方向における中央の画素）を黒表示にしたい場合、全面白表示の状態において、走査電極１０２とセルの中央のデータ電極１０６Ｂとの間に、データ電極に対して負の所定電圧を走査電極１０２に印加する。これにより、図１１（Ａ）に示すように、データ電極１０６Ｂ上の正に帯電した黒色粒子１１２が表示基板１０４側へ移動すると共に白色粒子１１４が背面基板側へ移動し、黒表示される。
【０００８】
また、セル１１６の中央の画素を赤表示にする場合、例えばデータ電極１０６Ａ、１０６Ｃ、及び走査電極１０２を接地すると共に、データ電極１０６Ｂに所定の交番電圧（例えば±２００Ｖ）を印加する。これにより、データ電極１０６Ｂ上の粒子が基板間を往復運動し、データ電極１０６Ａ、１０６Ｃ上の粒子は移動しないが、データ電極１０６Ｂ上の粒子は、データ電極１０６Ｂとデータ電極１０６Ａとの間、データ電極１０６Ｂとデータ電極１０６Ｃとの間に形成されたエッジ電界により、基板間を往復運動しながら隣接する他の画素の領域へ移動する。このため、図１１（Ｂ）に示すように、データ電極１０６Ｂ上の画素が除去され、赤表示される。
【０００９】
同様に、間隙部材１１８に隣接する画素、例えば図１１（Ｃ）において左端の画素を赤表示にする場合、データ電極１０６Ｂ、１０６Ｃ、及び走査電極１０２を接地すると共に、データ電極１０６Ａに所定の交番電圧を印加するが、データ電極１０６Ａ上の粒子は間隙部材１１８によって移動が制限されるため、図１１（Ｃ）に示すように、粒子がデータ電極１０６Ａ上に残ってしまう。このため、赤が表示される面積が小さくなり、色の濁った赤表示となってしまう場合がある。
【００１０】
従って、例えば図１３に示すように、走査方向Ｓに沿った赤のラインを走査方向Ｓと直交する方向に１画素おきに表示させた場合、セル１１６の中央の画素、すなわちデータ電極１０６Ｂ上のラインは鮮明な赤表示となるのに対し、セル１１６の間隙部材１１８に隣接する画素、すなわちデータ電極１０６Ａ、１０６Ｃ上のライン（図中太線でハッチングした領域）は濁った赤表示となり、表示品質が低下してしまう。
【００１１】
また、図１４に示すように、間隙部材１１８の形状を煉瓦状とした場合において、走査方向Ｓに沿った赤のラインを走査方向Ｓと直交する方向に１画素おきに表示させた場合、鮮明な赤と濁った赤とが１画素毎に交互に繰り返されるラインとなり、より表示品質の低下が顕著となる。
【特許文献１】特開２００１−３１２２２５号公報
【特許文献２】特開２００２−１６９１９１号公報
【特許文献３】特開２００４−８６０９５号公報
【発明の開示】
【発明が解決しようとする課題】
【００１２】
このように、間隙部材に隣接しない画素、すなわちセルの中央部付近の画素では、その位置の粒子は隣接する画素の領域に速やかに移動除去され、良好に背面基板の色を表示することが可能であるが、間隙部材に隣接する画素では、間隙部材によって粒子が移動する方向が制限されるため、交番電圧の印加時間を十分に長くしないと粒子を十分に除去することができない。
【００１３】
従って、表示品質を上げるのを優先させると表示速度が極めて遅くなり、表示速度を上げるのを優先させると表示品質が極めて低下してしまう、という問題があった。
【００１４】
本発明は、上記事実に鑑みて成されたものであり、表示速度を低下させることなく表示品質が低下するのを防ぐことができる画像表示媒体を提供することを目的とする。
【課題を解決するための手段】
【００１５】
上記課題を解決するため請求項１記載の発明は、少なくとも透光性を有する表示基板と、前記表示基板と間隙をもって対向する背面基板と、予め定めた所定方向に沿って並置された複数の第１の電極と前記第１の電極と対向して配置された第２の電極との間に画像に応じた電圧が印加されることにより、前記表示基板と前記背面基板との基板間に形成された電界に応じて移動するように当該基板間に封入された前記背面基板の色と異なる少なくとも一種類の粒子群と、前記基板間を、前記第１の電極を複数含むセルに仕切る間隙部材と、を備えた画像表示媒体において、前記間隙部材と、当該間隙部材と隣接する第１の電極と、の間に、粒子除去用領域を設けたことを特徴とする。
【００１６】
この発明によれば、画像表示媒体は、少なくとも透光性を有する表示基板と、表示基板と間隙をもって対向する背面基板と、の基板間に、背面基板の色と異なる少なくとも一種類の粒子群が封入され、基板間が間隙部材によってセルに仕切られた構成である。
【００１７】
粒子群は、予め定めた所定方向に沿って並置された複数の第１の電極と前記第１の電極と対向して配置された第２の電極との間に画像に応じた電圧が印加されることにより、基板間に形成された電界に応じて移動する。なお、背面基板の表示基板と対向する側の面に電極を設けた場合には、この電極を透明として背面基板が粒子の色と異なる色としてもよいし、電極上に着色層を設けても良い。
【００１８】
また、間隙部材は、基板間を第１の電極を複数含むセルに仕切る。これにより、一つのセルに複数の画素が含められる。
【００１９】
このような画像表示媒体では、粒子が表示基板側に移動するような電圧を第１の電極と第２の電極との間に印加することにより粒子の色を表示させることができ、粒子が基板間を往復運動しながら隣接する画素の領域に移動させるような交番電圧を第１の電極と第２の電極との間に印加することにより、背面基板の色を表示することが出来る。なお、電圧の印加方法については、例えば特開２００４−８６０９５号公報に記載された方法を用いることができる。
【００２０】
ここで、間隙部材に隣接する画素に背面基板の色を表示させる場合、粒子の移動が間隙部材によって制限されるが、間隙部材と、当該間隙部材と隣接する第１の電極と、の間に粒子除去用領域が設けられているため、この領域に粒子を集合させることができる。このため、間隙部材に隣接する画素に粒子が残るのを防ぐことができ、良好に背面基板の色を表示することができる。
【００２１】
なお、請求項２に記載したように、前記粒子除去用領域は、前記第１の電極が存在しない領域である構成とすることができる。
【００２２】
また、請求項３に記載したように、前記粒子除去用領域に、粒子除去用電極を備えた構成としてもよい。これにより、粒子の移動を制御しやすくすることができる。
【００２３】
この場合、請求項４に記載したように、前記粒子除去用電極は、前記間隙部材の幅よりも広い幅を有する電極である構成としてもよい。すなわち、粒子除去用電極が間隙部材からはみ出るように構成する。
【００２４】
このように粒子除去用電極を間隙部材の幅よりも広い幅を有する電極とした場合において、間隙部材の形状を例えば煉瓦状にした場合には、ある方向に間隙部材が連続しない部分が存在することとなる。この場合、間隙部材の不連続部分を隣接する何れかの画素に含めてしまうと画素サイズが不均一になるため好ましくない。
【００２５】
そこで、請求項５に記載したように、前記粒子除去用電極は、前記間隙部材の両側に設けた一対の電極である構成としてもよい。この場合、各電極を間隙部材の両側の第１の電極と各々セットにすることにより、ある方向について間隙部材の不連続部分が存在する場合でも、その不連続部分を画素として利用することができると共に、画素サイズが不均一になるのを防ぐことができる。
【００２６】
また、請求項６に記載したように、前記複数の第１の電極は、ライン状の複数のデータ電極が並置されたデータ電極群であり、前記第２の電極は、前記データ電極と交差するライン状の複数の走査電極が並置された走査電極群である構成とすることができる。すなわち、単純マトリクス構造の電極配置である。
【００２７】
また、請求項７に記載したように、前記粒子群は、色及び帯電特性が異なる複数種類の粒子群とすることができる。この場合、色が異なる複数種類の粒子群同士のコントラストによっても画像を表示することができる。
【発明の効果】
【００２８】
本発明によれば、表示速度を低下させることなく表示品質が低下するのを防ぐことができる、という効果を有する。
【発明を実施するための最良の形態】
【００２９】
（第１実施形態）
以下、図面を参照して本発明の第１実施形態について詳細に説明する。
【００３０】
図１には、本実施形態に係る画像表示媒体１０の断面図を示した。画像表示媒体１０は、画像表示側である透光性を有する表示基板１２と、当該表示基板１２と所定間隔を隔てて対向する背面基板１４と、これらの基板間を所定間隔に保持するとともに、複数のセルに仕切る間隙部材１８と、各セル内に封入された帯電特性の異なる黒色粒子２０及び白色粒子２２と、で構成されている。
【００３１】
表示基板１２は、ガラス基板２４上に複数のライン状の走査電極２６が形成された構成となっている。背面基板１４は、基板３０上に、所定色（本実施形態では一例として赤とする）の複数のライン状のデータ電極３２が形成された構成となっている。各電極は、例えばＩＴＯ（Ｉｎｄｉｕｍ  Ｔｉｎ  Ｏｘｉｄｅ）電極で構成され、何れも同一幅である。
【００３２】
図２に示すように、複数のライン状の走査電極２６は、図２において上下方向（走査方向Ｓ）に並置されると共に、図２において左右方向に並置された複数のライン状のデータ電極３２と直交するように対峙して配置される。各走査電極２６と各データ電極３２との交差位置が画素を構成する。
【００３３】
間隙部材１８は、１つの走査電極２６及び複数のデータ電極３２を含み、走査方向Ｓと直交する方向を長手方向とする長方形状のセル３６が複数個形成されるようなマス目状の形状とされている。図２では、一例として各セル３６内に走査電極２６が１本、データ電極３２が３本ずつ配置された構成、すなわち１セル当たり１×３画素の構成としているが、これに限られるものではない。
【００３４】
なお、図１は、図２の１セル分のＡ−Ａ断面図を示しており、図１に示すように、各セルの左側のデータ電極をデータ電極３２Ａ、中央のデータ電極をデータ電極３２Ｂ、右側のデータ電極をデータ電極３２Ｃとする。また、これらを総称するときは単にデータ電極３２という。
【００３５】
各セル３６内には、互いに色及び帯電特性が異なると共に、データ電極３２と色の異なる粒子群であって、正に帯電した黒色粒子２０と負に帯電した白色粒子２２とが封入されている。このように基板間が間隙部材１８によって仕切られ、各セル３６内に粒子が封入されることにより、粒子の移動が各セル内に制限され、粒子が偏るのを防ぐことができる。なお、黒色粒子２０が負に帯電し、白色粒子２２が正に帯電された構成でもよい。各粒子は、例えば絶縁性粒子や導電性粒子等を用いることができる。
【００３６】
また、各セル３６の走査方向Ｓと直交する方向の両端部の背面基板１４にはデータ電極３２が存在しない電極不在部３８が各々設けられている。すなわち、背面基板１４には、各セル３６の走査方向Ｓと直交する方向における両端部の所定領域を除く領域にデータ電極３２が設けられている。なお、図２では、格子状にハッチングされた領域を電極不在部３８として表した。
【００３７】
図１、２においては、説明の簡略化のために８行×６列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｍ本の走査電極２６がガラス基板２４上に形成され、ｎ本のデータ電極３２が基板３０上に形成される。
【００３８】
また、本実施の形態では、表示基板側に走査電極２６が、背面基板側にデータ電極３２が設けられた構成としているが、これとは逆に、表示基板側にデータ電極３２が、背面基板側に走査電極２６が形成された構成としてもよい。
【００３９】
また、走査電極２６及びデータ電極３２は、表示基板１２と背面基板１４とが対向する側の面ではなく、これと反対側の面にぞれぞれ形成されていてもよく、表示基板１２及び背面基板１４の外側に別個独立にそれぞれ配置されていてもよい。この場合、背面基板１４の表示基板１２と対向する側の面にデータ電極３２と同一形状の着色層を設ければよい。また、電極を画像表示媒体と別個独立に設ける場合には、基板を誘電性を有する部材で構成することにより、基板間に電界を形成させることができる。
【００４０】
なお、画像表示媒体１０を構成する各部材は、例えば特開２００１−３１２２５号公報に記載されたものを用いることができる。
【００４１】
このような画像表示媒体１０では、少なくとも粒子を移動させることができる電位差を基板間に発生させるのに必要な電圧であって、必要な濃度が確保できる所定電圧（例えば±１４０Ｖ）が走査電極２６とデータ電極３２との電極間に印加されると、その位置の黒色粒子２０及び白色粒子２２が基板間を移動する。例えば、データ電極３２に対して走査電極２６の電位が正となる所定電圧（例えば＋１４０Ｖ）がその電極間に印加された場合には、表示基板１２側の正に帯電した黒色粒子２０は背面基板１４側へ移動し、背面基板１４側の負に帯電した白色粒子２２は表示基板１２側へ移動する。一方、データ電極３２に対して走査電極２６の電位が負となる所定電圧（例えば−１４０Ｖ）がその電極間に印加された場合には、表示基板１２側の負に帯電した白色粒子２２は背面基板１４側へ移動し、背面基板１４側の正に帯電した黒色粒子２０は表示基板１２側へ移動する。
【００４２】
従って、粒子を移動させるべき画素に対応した位置のデータ電極３２と走査電極２６との間に正又は負の所定電圧を印加することにより、画像に応じて粒子が移動し、画像を表示させることができる。なお、電圧の印加が停止された後も、ファンデルワース力や鏡像力等により黒色粒子２０又は白色粒子２２は表示基板１２又は背面基板１４に付着したままとなり、画像表示は維持される。
【００４３】
本実施形態では、一例として、画像表示媒体１０の濃度特性が図３（Ａ）、（Ｂ）に示すような特性の場合について説明する。すなわち、データ電極３２に対して走査電極２６に印加される電圧を−１４０Ｖ又は１４０Ｖとすることにより、黒色粒子２０又は白色粒子２２が表示基板１２側へ移動して十分な濃度を得ることができると共に、データ電極３２に対して走査電極２６に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００４４】
走査電極２６及びデータ電極３２に印加するＯＮ電圧及びＯＦＦ電圧の値の設定については様々な値を設定することができるが、本実施形態では、図４（Ａ）に示すように、走査電極２６に印加する走査電極用ＯＮ電圧を０Ｖに、走査電極用ＯＦＦ電圧を７０Ｖに、データ電極３２に印加するデータ電極用ＯＮ電圧を走査電極用ＯＮ電圧の２倍の１４０Ｖに、データ電極用ＯＦＦ電圧を７０Ｖにそれぞれ設定する。なお、各電圧のパルス幅は一例として１０ｍｓｅｃ、パルス数は１とする。
【００４５】
このようにＯＮ電圧及びＯＦＦ電圧を設定した場合、同図（Ｂ）に示すように、走査電極２６及びデータ電極３２の両方にＯＮ電圧が印加された場合、そのデータ電極３２に対する走査電極２６への印加電圧は−１４０Ｖとなり、その画素（画像部）の黒色粒子２０が表示基板１２側へ移動する。
【００４６】
また、走査電極２６に走査電極用ＯＮ電圧、データ電極３２にデータ電極用ＯＦＦ電圧が印加された場合、そのデータ電極３２に対する走査電極２６への印加電圧は−７０Ｖとなり、その画素（非画像部）の粒子は移動しない。同様に、走査電極２６に走査電極用ＯＦＦ電圧、データ電極３２にデータ電極用ＯＮ電圧が印加された場合、そのデータ電極３２に対する走査電極２６への印加電圧は−７０Ｖとなり、その画素の粒子は移動せず、走査電極２６に走査電極用ＯＦＦ電圧、データ電極３２にデータ電極用ＯＦＦ電圧が印加された場合、そのデータ電極３２に対する走査電極２６への印加電圧は０Ｖとなり、その画素の粒子は移動しない。
【００４７】
また、セル３６内の粒子の配置、すなわち粒子密度を均一化させると共に最終的に白表示とする初期化駆動を行う場合には、走査電極２６とデータ電極３２との間に初期化駆動電圧としての交番電圧を印加する。例えば、第１の走査電極用初期化電圧を１４０Ｖ、第２の走査電極用初期化電圧を０Ｖとして、これらを所定パルス幅で走査電極２６に交互に印加すると共に、これに同期して、第１のデータ電極用初期化電圧を０Ｖ、第２のデータ電極用初期化電圧を１４０Ｖとして、これらを前記所定パルス幅でデータ電極３２に交互に印加する。これにより、走査電極２６とデータ電極３２との間に交番電圧が印加される。  そして、これを所定パルス数分実行し、最後に白表示とするために、走査電極２６に第１の走査電極用初期化電圧を、データ電極３２に第１のデータ電極用初期化電圧を印加する。この際、前記所定パルス幅より長めのパルス幅で印加すると、より濃度が安定した白表示を行うことができるため好ましい。なお、所定パルス数は、粒子の配置を十分に均一化させることができる数に設定される。
【００４８】
また、セル内の所定画素について粒子以外の色である赤、すなわちデータ電極３２の色を表示させる場合には、走査電極２６に走査電極用交番電圧（例えば０Ｖ及び１４０Ｖの電圧を交互に印加する交番電圧）、そのセル内の所定画素以外の画素のデータ電極３２にデータ電極用ＯＦＦ電圧（７０Ｖ）を印加すると共に、所定画素のデータ電極３２に所定周波数（例えば２００Ｈｚ）、所定電圧値のデータ電極用交番電圧（例えば１４０Ｖ及び０Ｖの電圧を交互に印加する交番電圧で、走査電極用交番電圧と１８０度位相が異なる交番電圧）を所定パルス数（例えば３０パルス）印加する。これにより、所定画素の領域の粒子が基板間を往復運動しながら、隣接するデータ電極間に形成されたエッジ電界（基板面と平行方向の電界）によってセル内の他の画素の領域へ移動し、データ電極３２が露出して赤表示される。
【００４９】
図５には、画像データに基づいて、画像表示媒体１０に画像を表示するための駆動装置４０の概略構成を示した。
【００５０】
駆動装置４０は、走査電極駆動回路４２、データ電極駆動回路４４、電源回路４６、４８、及び制御装置５０を含んで構成されている。
【００５１】
走査電極駆動回路４２は、各走査電極２６とそれぞれ接続され、電源回路４６から供給される各種の電圧、すなわち第１の走査電極用初期化電圧及び第２の走査電極用初期化電圧、走査電極用ＯＮ電圧、走査電極用ＯＦＦ電圧を、制御装置５０の指示に従って各走査電極２６に各々印加する。
【００５２】
データ電極駆動回路４４は、各データ電極３２とそれぞれ接続され、電源回路４８から供給される各種の電圧、すなわち第１のデータ電極用初期化電圧及び第２のデータ電極用初期化電圧、データ電極用ＯＮ電圧、データ電極用ＯＦＦ電圧、及び粒子除去用電圧を、制御装置５０の指示に従って各データ電極３２に各々印加する。
【００５３】
走査電極駆動回路４２は、各走査電極２６とそれぞれ接続され、電源回路４６から供給される各種の電圧を、制御装置５０の指示に従って各走査電極２６に各々印加する。
【００５４】
データ電極駆動回路４４は、各データ電極３２とそれぞれ接続され、電源回路４８から供給される各種の電圧を、制御装置５０の指示に従って各データ電極３２に各々印加する。
【００５５】
制御装置５０には、画像表示媒体１０に表示させるべき画像に応じた画像データが入力される。制御装置５０は、入力された画像データに基づいて、走査対象の走査電極２６を指定するための走査電極指定信号を、走査電極駆動回路４２に出力する。また、これと同時に、その走査電極指定信号により指定された走査電極２６に対応するライン画像の画像部（黒表示する画素及び赤表示する画素）のデータ電極３２を指定するためのデータ電極指定信号を、データ電極駆動回路４４に出力する。
【００５６】
走査電極駆動回路４２は、制御装置５０から走査電極指定信号によって指定された走査電極２６に対して走査電極用ＯＮ電圧を印加すると共に、走査電極指定信号によって指定された走査電極２６以外の走査電極２６に対して走査電極用ＯＦＦ電圧を印加し、データ電極駆動回路４４は、制御装置５０からデータ電極指定信号によって指定されたデータ電極３２のうち黒表示する画素のデータ電極３２に対してはデータ電極用ＯＮ電圧を印加し、赤表示する画素のデータ電極３２に対しては粒子除去用電圧を印加すると共に、データ電極指定信号によって指定されたデータ電極３２以外のデータ電極３２に対してデータ電極用ＯＦＦ電圧を印加する。
【００５７】
これにより、制御装置５０により指定された走査電極２６とデータ電極３２との交差位置の画像部のうち、黒表示する画素については、黒色粒子２０が表示基板１２側へ白色粒子２２が背面基板１４側へ移動し黒表示される。また、赤表示する画素については、粒子が基板間を往復運動しながら他の画素の領域へ移動し、その画素のデータ電極３２が露出することにより赤表示される。なお、非画像部の粒子は基板間を移動しない。これを各ライン、すなわち各走査電極２６について実行することにより、画像を表示することができる。
【００５８】
ここで、例えば図１においてセル３６の左側の画素が赤表示する画素として指定された場合、データ電極３２Ａに粒子除去用電圧が印加されるが、このとき、間隙部材１８によって粒子の移動が制限されるものの、電極が存在しない部分、すなわち電界の弱い電極不在部３８上に粒子が移動する。このため、データ電極３２Ａ上に粒子が残らず、鮮明な赤表示とすることができる。従って、従来と比較して粒子除去用電圧の印加時間を少なくすることができ、表示速度を上げることができると共に表示品質を向上させることができる。
【００５９】
なお、電極不在部３８の幅Ｗは、データ電極３２の幅よりも十分に小さい幅、例えばデータ電極３２の幅の１／３以下であって、十分に電極不在部３８上に粒子が移動できる幅以上に設定することが好ましい。
【００６０】
（第２実施形態）
次に、本発明の第２実施形態について説明する。なお、第１実施形態と同一部分には同一符号を付し、詳細な説明は省略する。
【００６１】
図６には、本実施形態に係る画像表示媒体１０Ａの断面図を示した。画像表示媒体１０Ａは、図６に示すように、背面基板１４の基板３０上のデータ電極３２Ａとデータ電極３２Ｃとの間に粒子除去用電極６０が設けられている。粒子除去用電極６０は、図６、７に示すように、間隙部材１８の幅よりも広い幅を有し、間隙部材１８の幅方向両側へはみ出すように設けられる。なお、これ以外は図１の画像表示媒体１０と同一である。
【００６２】
ここで、例えば図６においてセル３６の左側の画素を赤表示させる場合、駆動装置４０は、データ電極３２Ａに粒子除去用電圧を印加すると共に、粒子除去用電極６０に例えば一定電圧を印加する。この電圧は、粒子除去用電極６０上に粒子が移動しやすくなるような電圧値に設定される。また、粒子除去用電極６０にデータ電極３２Ｂや３２Ｃと同じ電圧を印加してもよい。これにより、粒子をより速やかに且つ確実に粒子除去用電極６０上に移動させることができる。また、例えば粒子除去用電極６０上の黒色粒子２０をデータ電極３２上に戻したい場合（初期化したい場合）には、例えば前述した初期化駆動と同様に、データ電極３２Ａ、３２Ｂ、３２Ｃと粒子除去用電極６０に同じ交番電圧を印加して行うことができ、初期化駆動を速やかに行うことができる。また、粒子除去用電極６０と走査電極２６との間に粒子を除去するための交番電圧を印加したり、粒子除去用電極６０に対して正の所定電圧をデータ電極３２Ａに対して印加してもよく、粒子の移動をきめ細かく制御することができる。
【００６３】
（第３実施形態）
次に、本発明の第３実施形態について説明する。なお、上記各実施形態と同一部分には同一符号を付し、詳細な説明は省略する。
【００６４】
第２実施形態では、間隙部材１８の幅よりも広い幅を有する粒子除去用電極６０を設けた構成について説明したが、例えば間隙部材１８の形状を、図８に示すように煉瓦状とした場合、粒子除去用電極６０上に間隙部材１８が存在しない領域６２（代表として図８に網点でハッチングした領域）については、画像部として用いることができない。すなわちこの領域６２の粒子除去用電極６０とこれに隣接するデータ電極３２とをセットにして同一の電圧を印加すれば粒子を移動させて黒表示又は白表示を行うことができるが、粒子除去用電極６０の分だけ画素サイズが大きくなってしまい、表示品質が低下するためである。
【００６５】
そこで、図９に示すように、本実施形態に係る画像表示媒体１０Ｂは、間隙部材１８の幅方向両側に粒子除去用電極６０Ａ、６０Ｂを設けた構成とした。なお、これ以外は図８に示す構成と同一である。
【００６６】
この場合、間隙部材１８に隣接する画素で赤表示する場合には、この画素のデータ電極３２に粒子除去用電圧を印加すると共に、これに隣接する粒子除去用電極６０Ａ（又は６０Ｂ）に一定電圧を印加する。また、黒表示又は白表示する場合には、粒子除去用電極６０Ａ（又は６０Ｂ）と、これに隣接するデータ電極３２とをセットにして、これらに同一電圧を印加する。これにより、間隙部材１８の形状を、図９に示すような煉瓦状とした場合でも、粒子除去用電極上に間隙部材１８が存在しない領域を画像部として用いることができると共に、画素サイズも略均一にすることができる。
【００６７】
なお、上記実施形態では、データ電極３２が赤一色の場合について説明したが、これに限らず、２色以上としてもよい。例えば図１０に示すように、赤のデータ電極３２Ｒ、緑のデータ電極３２Ｇ、青のデータ電極３２Ｂを並置した構成とし、間隙部材１８近傍に電極不在部３８を設けた構成としてもよい。これによりさらに多くの色を表示することが可能となる。
【００６８】
また、上記各実施形態では、電極の配置が単純マトリクス構造の画像表示媒体に画像を表示させる場合について説明したが、例えば電極の配置がアクティブマトリクス構造の画像表示媒体であっても、セルが複数の電極を含む構成であれば、本発明を適用可能である。
【図面の簡単な説明】
【００６９】
【図１】第１実施形態に係る画像表示媒体の断面図である。
【図２】電極の配置及び間隙部材の形状を示す平面図である。
【図３】（Ａ）は白表示から黒表示するときの濃度特性を示す線図、（Ｂ）は黒表示か
【図４】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図５】画像表示装置の概略構成図である。
【図６】第２実施形態に係る画像表示媒体の断面図である。
【図７】第２実施形態に係る画像表示媒体の電極の配置及び間隙部材の形状を示す平面図である。
【図８】第２実施形態に係る画像表示媒体の変形例に係る電極の配置及び間隙部材の形状を示す平面図である。
【図９】第３実施形態に係る画像表示媒体の電極の配置及び間隙部材の形状を示す平面図である。
【図１０】変形例に係る画像表示媒体の電極の配置及び間隙部材の形状を示す平面図である。
【図１１】第１実施形態に係る画像表示媒体の断面図である。
【図１２】電極の配置及び間隙部材の形状を示す平面図である。
【図１３】第１実施形態に係る画像表示媒体の断面図である。
【図１４】電極の配置及び間隙部材の形状を示す平面図である。
【符号の説明】
【００７０】
１０、１０Ａ、１０Ｂ      画像表示媒体
１２      表示基板
１４      背面基板
１８      間隙部材
２０      黒色粒子
２２      白色粒子
２４      ガラス基板
２６      走査電極
３０      基板
３２      データ電極
３６      セル
３８      電極不在部
４０      駆動装置
４２      走査電極駆動回路
４４      データ電極駆動回路
４６、４８      電源回路
５０      制御装置
６０、６０Ａ      粒子除去用電極
【図１】
2006258994.tif 000003
【図２】
2006258994.tif 000004
【図３】
2006258994.tif 000005
【図４】
2006258994.tif 000006
【図５】
2006258994.tif 000007
【図６】
2006258994.tif 000008
【図７】
2006258994.tif 000009
【図８】
2006258994.tif 000010
【図９】
2006258994.tif 000011
【図１０】
2006258994.tif 000012
【図１１】
2006258994.tif 000013
【図１２】
2006258994.tif 000014
【図１３】
2006258994.tif 000015
【図１４】
2006258994.tif 000016